(57)【要約】      （修正有）【課題】コイルとプラズマ間の容量結合を減らし、プラズマチューブ内表面の腐食を有意に減らすＲＦプラズマソースの提供。【解決手段】プラズマソース２００は、第１コイルセグメント２０４と第２コイルセグメント２０６を有するコイル２０２、コイル２０２に接続されたＲＦ電源２０８、および第１コイルセグメント２０４と第２コイルセグメント２０６間に配設されたエンクロージャ２１０を備える。さらに中間コイルセグメント２２２は、第１コイルセグメント２０４、第２コイルセグメント２０６間に電圧ノード（接地に関連する低電圧領域）を提供する。【選択図】図２
2011071121.tif 000002
【特許請求の範囲】
【請求項１】
遠隔の場所から処理チャンバへプラズマを供給する装置であって、
第１コイルセグメントと第２コイルセグメントと、前記第１コイルセグメント及び第２コイルセグメントを接続する中間コイルセグメントを有するコイルと、
前記コイルに接続されるＲＦ電源と、
前記中間コイルセグメントに隣接して、前記第１コイルセグメントと第２コイルセグメントの間に配設されるエンクロージャとを備え、
前記エンクロージャは、前記エンクロージャの中心を通る軸が前記第１コイルセグメントの中心及び前記第２コイルセグメントの中心を通る軸に対し実質的に垂直になるように前記第１コイルセグメント及び前記第２コイルセグメントに対し実質的に垂直の角度で配設され、前記第１コイルセグメント及び前記第２コイルセグメントが前記エンクロージャの外面から間隔を開けて配置され、前記中間コイルセグメントが前記第１コイルセグメント及び第２コイルセグメントの間の水平な延長部を提供し、前記エンクロージャの近傍で近ゼロのコイル電圧を提供している装置。
【請求項２】
前記ＲＦ電源と前記第１コイルセグメントの間に接続される第１ＲＦ整合ネットワークと、前記第２コイルセグメントと接地部の間に接続される第２ＲＦ整合ネットワークとを更に備える、請求項１記載の装置。
【請求項３】
前記第１コイルセグメントと第２コイルセグメントがソレノイド状巻線を備える、請求項１記載の装置。
【請求項４】
前記第１コイルセグメントと第２コイルセグメントがフェライトコアを有する、請求項１記載の装置。
【請求項５】
前記コイルが、前記エンクロージャを通る軸と同じ方向に延びる長い断面軸を有する細長い断面を有する、請求項１記載の装置。
【請求項６】
前記コイルが、楕円断面形状または長方形断面形状を有する、請求項５記載の装置。
【請求項７】
前記エンクロージャが、円筒形絶縁体であり、ガス源に接続されたガス入口と、プロセスチャンバに接続されたプラズマ出口とを有する、請求項１記載の装置。
【請求項８】
前記ＲＦ電源が前記第１コイルセグメントと第２コイルセグメントの外端に接続され、前記第１コイルセグメントと第２コイルセグメントの内端が接地部に接続される、請求項１記載の装置。
【請求項９】
前記ＲＦ電源と前記コイルセグメントとの間に接続されるＲＦ整合ネットワークを更に備える、請求項８記載の装置。
【請求項１０】
前記第１コイルセグメントの外端と接地部との間に接続される第１コンデンサ；および、
前記第２コイルセグメントの外端と接地部との間に接続される第２コンデンサ；
を更に備える、請求項１記載の装置。
【請求項１１】
前記ＲＦ電源が、前記第１コイルセグメントと前記第２コイルセグメントとの間の前記中間コイルセグメントに接続される、請求項１０記載の装置。
【請求項１２】
前記コイルが、第３コイルセグメントと第４コイルセグメントを更に備え、
前記エンクロージャが、前記第３コイルセグメントと第４コイルセグメントの間に配設され、前記エンクロージャの中心を通る軸が前記第３コイルセグメントの中心及び前記第４コイルセグメントの中心を通る軸に対し実質的に垂直になるように、前記第３コイルセグメント及び前記第４コイルセグメントに対し実質的に垂直の角度で配設されている、
請求項１記載の装置。
【請求項１３】
前記ＲＦ電源と前記第１コイルセグメントとの間に接続される第１ＲＦ整合ネットワーク；および、
前記第４コイルセグメントと接地部との間に接続される第２ＲＦ整合ネットワーク；
を更に備える、請求項１２記載の装置。
【請求項１４】
前記エンクロージャと前記コイルセグメントとの間に配設されるファラデーシールドを更に備える、請求項１記載の装置。
【請求項１５】
前記中間コイルセグメントは、接地されている、請求項１記載の装置。
【発明の詳細な説明】
【発明の詳細な説明】
【０００１】
発明の範囲
本発明は一般的にはプラズマ処理に関する。より詳細には、本発明はプラズマ材料処理で使われる高周波（ＲＦ）プラズマソースに関する。
関連技術の背景
プラズマ材料プロセスは、半導体基板上への集積回路の製造に広く使用される。これらのプロセスには、エッチング、化学的気相成長、物理蒸着、および他の真空プロセスが典型的に含まれる。これらのプロセスの間、半導体基板は真空処理チャンバ内でガスプラズマに曝される。処理チャンバへ供給された処理ガスを励起してプラズマを生成するために、高周波エネルギー（３〜３０ＭＨｚ間のＲＦ）、通常は１３．５６ＭＨｚが用いられる。プラズマは処理チャンバ内で生成され、および／または遠隔のプラズマ発生装置から処理チャンバへ導入されてもよい。処理チャンバ内プラズマ生成および遠隔プラズマ生成は、当該技術では共によく知られている。どちらのプラズマ生成方法も、様々なプラズマ材料プロセスで利用されてきた。ＮＦ3のような洗浄ガスの遠隔プラズマ生成は、堆積チャンバ、すなわちセラミックやアルミニウム製のプロセスキットコンポーネント（例えばガス分配器、クランプリング等）を洗浄するために、成功裡に利用されている。
【０００２】
図１は、典型的な遠隔誘導結合プラズマソースの簡略化した略図である。プラズマソース１００は、一般的にチューブ１０２、チューブ部１０２の長さに沿って、その外側へスパイラル状に巻回されたコイル１０４、およびコイル１０４に接続されたＲＦ電源を備える。図１に示すように、一般的には誘導結合が容量結合より好ましい。なぜなら、与えられたパワーの誘導結合によって生成されるプラズマ密度は、同じパワーで容量結合によって生成されるプラズマ密度より高いからである。高いプラズマ密度ほど、高い反応レート、より短い処理時間、より高いスループットが結果として得られるのが普通である。ＲＦ電源１０６は、チューブ内にプラズマを生成するのに必要なＲＦエネルギーをコイル１０４へ供給する。普通は、ＲＦ電源１０６とコイル１０４との間のインピーダンス整合を提供するために、ＲＦ整合ネットワーク１０８がＲＦ電源１０６とコイル１０４との間に接続される。インピーダンス整合は、コイルに供給されるＲＦパワーがＲＦ電源１０６へ逆戻りしないことを保証し、電源１０６とコイル１０４間の最適なパワー移転を提供する。チューブ１０２は、一端に配設された処理ガス入口１１０と、他端に配設されたプラズマ出口１１２を含む。処理ガス入口１１０は処理ガスソース（不図示）に流体接続され、プラズマ出口１１２は処理チャンバ（不図示）に流体接続される。遠隔プラズマソース１００は、一般的にエンクロージャの表面、典型的にはエンクロージャの蓋の頂部に取付けられる。
【０００３】
処理中、処理ガスはプロセスガス入口１１０からチューブ１０２へ導入され、ＲＦ電源１０６は駆動されて、ＲＦパワーをコイル１０４へ供給する。ＲＦパワーはコイル１０４へエネルギーを与え、処理ガスをプラズマ状態に励起するＲＦフィールドをチューブ内に生成する。次いで、プラズマは、プラズマ出口から出て処理チャンバに流入する。普通は、プロセスガスがチューブ１０２へ連続的に導入され、励起されてプラズマになり、処理期間にわたり連続してプラズマを処理チャンバへ供給する。
【０００４】
典型的には、ＲＦ電源は、数キロボルトオーダーの高いピーク・ツー・ピーク電圧を、コイル１０４の一端に供給する一方で、コイル１０４の他端は接地される。接地された他端と、高電圧に接続された一端とを有する誘導ＲＦコイルに伴う問題は、高いＲＦピーク・ツー・ピーク電位が、チューブ１０２内に生成されたプラズマ中にＲＦパワーの強い容量結合を引き起こすことである。プラズマ中への、ＲＦパワーのこの強い容量結合は、コイル１０４によって予定されたプラズマと誘導結合されるＲＥエネルギーを減らすので望ましくない。容量結合は一般に、絶縁チューブ近傍に大きなシース電圧をもたらす。チューブ１０２近傍の高電圧は、プラズマからのイオンが、高いシース電圧によって絶縁チューブ材への侵食を促がすので、チューブ１０２の内側面に有意な腐食を引起す原因となる。チューブ１０２の腐食は、チューブの有効寿命を下げるとともに、基板の欠陥を引き起こすかもしれない汚染物質を処理中に発生する。腐食はチューブと同様に、遠隔誘導結合プラズマソースの寿命を下げ、余分なコストがかかり、修理および／または交換のための処理ダウン時間を結果としてもたらす。与えられたパワーに対し、一般にはより高いプラズマ密度が得られるので、容量結合を減らすか最少にすることが望ましい。
【０００５】
したがって、プラズマソース近傍で低いコイル電圧を維持し、それによってコイルとプラズマ間の容量結合と、プラズマチューブ内面の腐食とを減らす遠隔誘導結合プラズマソースに対するニーズがある。
発明の概要
本発明は、プラズマチューブ近傍で低いコイル電圧を維持し、それによってコイルとプラズマ間の容量結合を減らし、かつプラズマチューブの内面の腐食を有意に減らすプラズマソースを提供する。
【０００６】
このプラズマソースは、一般に、第１コイルセグメントと第２コイルセグメントを有するコイル、コイルに接続されるＲＦ電源、および第１コイルセグメントと第２コイルセグメントとの間に配設されるエンクロージャ、を備える。好ましくは、ＲＦ電源と第１コイルセグメントとの間には第１ＲＦ整合ネットワークが接続され、第２コイルセグメントと接地との間には第２ＲＦ整合ネットワークが接続される。
【０００７】
代替として、ＲＦ整合ネットワークを簡素化するために、各コイルセグメントはコンデンサに接続され、自己共振モードで動作する。好ましくは、ひとつのコンデンサが、コイルセグメントの各外端に接続され、ＲＦ電源が、コイルセグメントのうちのひとつに接続されるか、または第１と第２コイルセグメント間の中間セグメントに接続される。
【０００８】
本発明の別の態様は、コイルセグメントの内端を接地することによって、エンクロージャ近傍でのゼロ電圧を提供する。このコイル構成において、ＲＦ電源は、コイルセグメントの外端に接続され、好ましくは、ＲＦ整合ネットワークが、ＲＦ電源とコイルセグメントとの間に接続される。コイルセグメントの内端を個別に接地する代わりに、第１と第２のコイルセグメントをつなぐ中間コイルセグメントが接地されて、エンクロージャ近傍にゼロ電圧を提供する。
【０００９】
本発明はプラズマを生成するための方法も提供し、その方法は：コイルの第１コイルセグメントと第２コイルセグメント間に、エンクロージャを配設し；エンクロージャへガスを導入し；そして、ガスを励起してプラズマにするために、コイルへＲＦパワーを供給すること；を含む。本発明は様々なコイル操作を提供し、それには、対称コイル構成、プラズマチャンバ近傍に低電圧を提供するために調整された整合ネットワークを有する非対称コイル構成、自己共振構成、プラズマチャンバ近くへ物理的に接地され、並列に駆動されるコイルセグメントを有する、接地されたコイルセンター構成、そして、直列または並列に駆動される複数のコイルセグメントペアを有するペア構成、が含まれる。更に、コイルとプラズマ間の誘導結合は、フェライトコアを有するコイルセグメントを用いることにより増強されることできる。
好ましい実施の形態の詳細な説明
図２は、本発明によるプラズマソースの概略図である。プラズマソース２００は、一般に、第１コイルセグメント２０４と第２コイルセグメント２０６とを有するコイル２０２、コイル２０２と接続するＲＦ電源２０８、そして第１コイルセグメント２０４と第２コイルセグメント２０６との間に置かれたエンクロージャ２１０、を備える。エンクロージャ２１０はコイルに対してある角度、好ましくは、コイル２０２に対して実質的には垂直（即ち±１０°）に配設され、エンクロージャ２１０を通る軸Ａがコイル２０２を通る軸Ｂに対して実質的に垂直になるようにする。好ましくは、第１ＲＦ整合ネットワーク２１４は、ＲＦ電源２０８と第１コイルセグメント２０４間に接続され、第２ＲＦ整合ネットワーク２１６は、第２コイルセグメント２０６と接地間に接続される。
エンクロージャ２１０は、エンクロージャ２１０の対向両端に配設されるガス入口２１８とプラズマ出口２２０を備える。ガス入口２１８は処理ガスソース（不図示）に流体接続され、処理ガスはガス入口２１８を介してエンクロージャ２１０へ導入される。処理ガスは、本発明が意図するように、エッチングガスだけでなく、様々な堆積ガスを含む。プラズマ出口２２０は処理チャンバ（図４に実施例が示されている）に流体接続され、エンクロージャ２１０の内側で生成されたプラズマが、プラズマ出口２２０を介して処理チャンバへ流れる。代替として、プラズマ出口２２０はポンプ（図４に示す）に流体接続され、このポンプが、エンクロージャ２１０から、処理チャンバに接続されたポンプ出口の導管（図４に示す）を介して、プラズマを処理チャンバへ圧送する。
【００１０】
好ましくは、エンクロージャ２１０はチューブを備え、クオーツのような絶縁材で製作される。代替として、抵抗性あるいは半導電性の材料をエンクロージャ２１０のために使用できる。エンクロージャ２１０の構築のための特定材料は、システム中へ入れるプロセスガスに従って決定される。例えば、ＮＦ3を含むプロセスガスからのプラズマ生成に関しては、エンクロージャ２１０の構築に好ましい材料はサファイアである。なぜなら、サファイアは、プラズマ中で形成される活性核種による腐食に対しとりわけ大きな抵抗力を持つからである。図２に示すようなエンクロージャ２１０は、当業界で広く使われている略円筒形のエンクロージャであり、典型的には遠隔誘導結合プラズマソースで使われる。しかしながら本発明により、例えば長方形のような他の断面形状を持ったエンクロージャが意図される。エンクロージャ２１０は、気体クーラントまたは液体クーラントを使って、エンクロージャ２１０を冷却する冷却ジャケット（不図示）を含んでもよい。
【００１１】
エンクロージャ２１０は、コイル２０２の、第１コイルセグメント２０４と第２コイルセグメント２０６間に、好ましくは、エンクロージャ２１０を通る軸Ａがコイル２０２を通る軸Ｂに対して実質的に垂直になるよう、実質的に垂直に配設される。コイル２０２はエンクロージャ２１０の中間部を横切る断面形状を有し、コイル２０２の断面形状の内径は、結合効率を最大化するために、エンクロージャの２１０の内径と略同一であることが好ましい。例えば、（図８ａに示すように）断面円形のコイルの直径は、円筒形プラズマチューブの内径と略同一であることが好ましい。ＲＦフィールドは、第１コイルセグメント２０４と第２コイルセグメント２０６間の領域に生成されるので、コイル２０２とエンクロージャ２１０の断面域間の、増加した交差部分が、プラズマを発生するためのエンクロージャ２１０内に、増加した活性ＲＦ領域を生成する。好ましくは、コイル２０２は、エンクロージャ軸Ａと同じ方向に延びる長い断面軸Ｄを有する長尺断面形状を有する。これらの長尺断面形状には、楕円（図８ｂに示す）、長方形（図８ｃに示す）、および長軸と短軸を持つ他の断面形状が含まれる。好ましくは、コイルの短軸Ｅの寸法は、エンクロージャの内径または内側幅と略等しい。長尺断面形状により、エンクロージャ２１０の中間部と交わる、コイル２０２の増加断面積を提供し、その結果、エンクロージャ２１０内のガスをプラズマに励起するための増加活性領域をもたらす。エンクロージャ２１０内のガスを励起するための活性領域を増加することによって、コイル２０２からエンクロージャ２１０までの結合効率は（円形断面を有するコイルの結合効率と比べて）改良される。更に、コイルとプラズマ間の誘導結合は、フェライトコアを持つコイルセグメントを使って強化されることができる。
【００１２】
コイル２０２は、中間セグメント２２２によって結合された、第１コイルセグメント２０４と第２コイルセグメント２０６を備える。中間セグメント２２２は、二つのセグメント間の連続性を提供しつつ、第１コイルセグメント２０４と第２コイルセグメント２０６間のエンクロージャ２１０を設置する空間を提供する。中間セグメント２２２は、コイルセグメント２０４、２０６間に、エンクロージャが配設される電圧ノード（すなわち、接地に関連する低電圧領域）を提供する。図２に示すように、中間セグメント２２２は２セグメント間の水平な延長部を提供する。第２コイルセグメント２０６は、連続スパイラルが中間セグメント２２２の長さだけオフセットされていることを除き、実質的には第１コイルセグメント２０４が終端をなすまでコイルスパイラルが続く。好ましくは、第１と第２コイルセグメント２０４、２０６はソレノイド状巻線を備える。一実施の形態において、コイルセグメントは対称構成であり、そこでは第１コイルセグメント２０４と第２コイルセグメント２０６は、エンクロージャ２１０の外面から等しい間隔で配置され、巻数、巻方向、断面形状、および構成材料が同一である。
【００１３】
本発明によるコイル設計は、エンクロージャ２１０近傍で低いコイル電圧に保ち、それによって、プラズマとの容量結合を減らす。好ましくは、コイル設計は、エンクロージャが配設される、第１コイルセグメント２０４と第２コイルセグメント２０６間に近ゼロ電圧を提供する。本発明では多くのコイル構成を意図している。すなわち、対称構成、プラズマチャンバ近傍に低電圧を提供するように調整された整合ネットワークを持つ非対称コイル構成、自己共振構成、並列に駆動されプラズマチャンバ近傍で物理的に接地されたコイルセグメントを有する、センター接地コイル構成、および、直列または並列に駆動される複数のコイルセグメントペアを有するペア構成、が含まれる。
【００１４】
ＲＦ電源２０８はコイル２０２に接続されて、エンクロージャ２１０内でＲＦフィールドを発生し、ガスを励起するするためにＲＦエネルギーを供給する。好ましくは、第１ＲＦ整合ネットワーク２１４が、ＲＦ電源２０８と第１コイルセグメント２０４間に接続され、第２ＲＦ整合ネットワーク２１６が、第２コイルセグメント２０６と接地間に接続される。第１ＲＦ整合ネットワーク２１４は第１コイル端子２２４を介して第１コイルセグメント２０４に接続される一方、第２ＲＦ整合ネットワーク２１６は、第２コイル端子２２６を介して第２コイルセグメント２０６に接続される。ＲＦ整合ネットワーク２１４，２１６は、ＲＦ電源２０８とコイル２０２間にインピーダンス整合を提供し、このインピーダンス整合が、その間のパワー移転を最大にする。インピーダンス整合は、コイル２０２へ供給されるＲＦパワーがＲＦ電源２０８へ逆戻りしないことも保証している。
【００１５】
任意ではあるが、ファラデーシールド２５０がエンクロージャ２１０とコイルセグメント２０４、２０６間に配設され、遠隔プラズマソースからの残存容量フィールドを除去する。ファラデーシールドは一般的に、コイルセグメントによる残存容量フィールドを短絡するスロット状導体を備えている。ファラデーシールドは当該技術では知られている。
【００１６】
操作において、処理ガスはガス入口２１８を介してエンクロージャ２１０へ導入される。次いで、ＲＦ電源２０８は、エンクロージャ２１０内のガスを励起してプラズマ状態にするために、ＲＦエネルギーをコイル２０２へ供給する。プラズマはプラズマ出口２２０を通って、エンクロージャ２１０から流出し、処理チャンバ（不図示）に流入する。遠隔誘導結合プラズマソース２００から処理チャンバへのプラズマ移転を強化するために、ポンプ（図４に示す）をプラズマ出口２２０と処理チャンバ間に流体連通して設けることができる。
【００１７】
図３は、本発明によるコイル端子２２４，２２６と、プラズマソースのコイルセンター２２８における模範的な電圧を示すグラフである。図３に示すグラフに関し、ＲＦ電源２０８は、約２ｋＶのピーク・ツー・ピーク電圧を持つ約１ｋＷのＲＦパワーをコイル２０２へ供給する。普通、ＲＦ電源は約１３．５６ＭＨｚでＲＦパワーを供給する。第１コイル端子２２４の電圧は約−２ｋＶと約２ｋＶの間で変化する一方、第２コイル端子２２０の電圧もまた約−２ｋＶと約２ｋＶの間で変化する。しかしながら、電圧はほとんど完全に異相である。したがって、第１コイル端子の電圧が２ｋＶ近くでピークをとると、第２コイル端子はマイナスピーク値約−２ｋＶに達する。中間セグメント２２２の中心点に相当するコイルセンター２２８での電圧は、約２００Ｖと−２００Ｖの間を約ゼロ電圧で繰返す。コイルセンター２２８の低いピーク・ツー・ピーク電圧は、コイル端子２２４，２２６の高いピーク・ツー・ピーク電圧に比べて重要である。なぜなら、エンクロージャ２１０がこの区域に配設されるからである。エンクロージャ２１０の近くには高電圧が存在しないので、コイル２０２からエンクロージャ２１０への容量結合は有意に減らされ、実用上取り除かれる。エンクロージャ２１０近傍の低いピーク・ツー・ピーク電圧を保つことによって、エンクロージャ２１０の内表面の腐食が明らかに減少する。
【００１８】
図４は、本発明によるプラズマソースを用いた処理チャンバの概略図である。本発明は、ＨＤＰ−ＣＶＤ処理システムを参照して説明されるが、本発明は他のプラズマ処理システムにも有利に用いられることができる。図４は、本発明による遠隔誘導結合プラズマソースを有するＨＤＰ−ＣＶＤチャンバの断面図である。チャンバ４００は一般的には、アルミニウムで製作され、陽極として機能するチャンバ本体４１０を備えている。チャンバ本体４１０は、誘導プラズマソースを供給するために、周りに誘導コイル４１４が配設された絶縁ドーム４１２をその上端で支持する。導体あるいは半導体のチャンバ蓋４１８が、絶縁ドーム４１２の上面で支えられ、チャンバの別の陽極として機能する。静電チャック４２０が、チャンバの下部分に配置されて処理中にその上で基板を支持する。通常、セラミックのような絶縁材料製の絶縁リング４２２が、静電チャック４２０の外周に配置されて、静電チャックと接地されたチャンバ壁との間のアーク発生を阻止する。ガスはチャンバ本体４１０の外周に静電チャック４２０の上のチャンバ蓋４１８に配置されたガス入口４１５を介して入れられる。チャンバは排気ポンプ４２６により、静電チャック４２０の外端から外向きに配置された排気通路４２４を介して排気される。スロットルとゲートバルブとのアセンブリは、そこから出る排気ガスを制御することによって、チャンバ内圧力を制御する。
【００１９】
通常、高密度プラズマは、ソースＲＦと称される絶縁ドームに隣接する誘導コイルを介してＲＦ電圧を供給することにより処理チャンバ内に生成される。コイルと蓋に印加されるＲＦ電圧は、チャンバに導入されたガスを励起してプラズマ状態にする。更に、ＲＦ電圧はチャンバ蓋４１８に結合されて、バイアスＲＦ信号をチャンバ内に供給するようにしてもよい。用途によっては、基板上へ集積回路を形成するために、先駆ガスがチャンバに導入されて、基板上へ材料を堆積させるか、あるいは基板から材料をエッチングしてもよい。
【００２０】
導体または半導体の蓋４１８、絶縁リング４２２、セラミックドーム４１２、エンクロージャ壁４１０およびガス入口４１５は、それら全てがプラズマ処理領域の一部を形成して、チャンバ内の運転条件下で、揮発されてガス相になるかもしれない汚染物質のソースであり、それによって、プロセス環境を汚染する。特にＮａ，Ｌｉ，それにＫのような移動性イオン、およびＦｅ，Ｃｒ，Ｎｉ，およびＭｇのような金属微粒子は、容量または誘導プラズマがチャンバ内を衝突される時、チャンバ構成要素の外へ溶け出される可能性がある。これらの移動性イオンや金属微粒子が堆積膜と結合すると、基板上で形成されたデバイスの構造一体性と電気性能に影響を及ぼす。更に、一連の基板が処理された後、チャンバ構成要素上の体積物が蓄積され、類似の組成物であるにもかかわらず、回路を剥がして損傷を与える微粒子の別のソースになる可能性がある。
【００２１】
チャンバ内の微粒子汚染は、典型的にはフッ素化合物である洗浄ガスを使ってチャンバを定期的に洗浄することにより、制御される。チャンバから排気可能であり、それによって処理環境を洗浄する安定生成物を形成するために、洗浄ガスは、チャンバの構成要素上に形成された堆積材料と先駆ガスとを結合する能力に基づいて選択される。高密度のプラズマリアクタにおいて、フッ素を含むほとんどの洗浄ガス（すなわち、ＮＦ3，ＣＦ4，およびＣ2Ｆ6）は高度に解離されて、チャンバから排気可能な安定生成物を形成する堆積材料を容易に結合できる。
【００２２】
洗浄ガスのプラズマは、チャンバ４００に取り着けられた遠隔誘導結合プラズマソース２００を使って生成される。図４に示すように、ポンプ４３０は、プラズマ出口２２０に接続され、プラズマを導管４３２を介してチャンバ４００へ圧送する。洗浄プロセスは下記のパラメータを持つＮＦ3のプラズマを使って達成することができる。典型的には、遠隔プラズマソースに与えられるＲＦパワーは、約１ｋＷから約３ｋＷの間である。ＮＦ3のようなプラズマガスの流量は約１００ｓｃｃｍと約１０００ｓｃｃｍの間であることが好ましく、エンクロージャ内の圧力は約１Ｔｏｒｒと約３Ｔｏｒｒの間である。
【００２３】
図５〜図７は、図２で先に説明したエンクロージャ／コイル構成に基づいて本発明の代替の実施の形態を示す。
【００２４】
図５は中央接地コイル構成を有する、本発明によるプラズマソース５００の概略図である。エンクロージャ２１０は、第１コイルセグメント２０４と第２コイルセグメント２０６間に配設される。ＲＦ電源２０８は、ＲＦ整合ネットワーク５０２に接続され、ＲＦパワーをコイルセグメントへ供給する。ＲＦ整合ネットワーク５０２は、コイルセグメントの外端に配置された第１と第２のコイル端子２２４と２２６に接続される。コイルセグメント２０４、２０６の内端５０４、５０６は接地接続される。図５に示すコイル構成に対しては、内端５０４、５０６がそれぞれ接地されているので、コイルセグメント２０４と２０６は中間セグメント２２２によって接続される必要はない。コイルセグメントの内端を接地することによって、エンクロージャ近傍のコイルの電圧はゼロになされる。代替として、コイルセグメント２０４と２０６は中間セグメント２２２によって接続されるとき、中間セグメント２２２は単接続を介して、好ましくはコイルセンター２２８で接地接続され、内端５０２、５０４を別々に接地するのと同じ目的を達する。エンクロージャ２１０が配置された場所で、コイルセグメント２０４と２０６を接地することによって、図５に示すコイル構成は、エンクロージャ２１０が配置された場所でゼロ電圧ノード（接地が理由で）が生成され、エンクロージャ２１０がコイルセグメント間に電圧差を受けないことを保証する。
【００２５】
図６は、自己共振コイル構成を有する、本発明によるプラズマソース６００の概略図である。第１コンデンサＣ１は、第１コイルセグメント端子２２４と接地間に接続される一方、第２コンデンサＣ２は第２コイルセグメント端子２２６と接地間に接続される。コンデンサＣ１とＣ２の値は、コイルセグメント２０４と２０６のそれぞれに整合させるよう選択されて共振作動を提供する。ＲＦ電源２０８はＲＦ整合ネットワーク無しに、コイルセグメントの一つ（すなわち、第１コイルセグメント２０４と第２コイルセグメント２０６の何れか一方）と接続される。図５に示すように、ＲＦ電源２０８は第１コイルセグメント２０４に接続される。代替として、センタータップ自己共振動作を提供するために、ＲＦ電源２０８は、ＲＦ整合ネットワーク無しに、中間セグメント２２２に接続される。別の代替として、ＲＦ電源２０８は、ＲＦ整合ネットワーク無しに、第２コイルセグメント２０６に接続される。ＲＦ電源とコイルとの接続位置は、自己共振動作を提供するためのコンデンサＣ１とＣ２の値を決定する時のもう一つの要因である。図６に示すセンタータップ自己共振コイル構成は、システムの効率を最大化するために、各コイルセグメントに対してひとつだけのコンデンサを使って複雑な整合ネットワークを削除する。
【００２６】
図７は、ひとつの直列コイル構成を有する、本発明によるプラズマソース７００の概略図である。直列コイル構成は、第１中間セグメント７０８によって接続された第１コイルセグメント７０４と第２コイルセグメント７０６とを備えた第１コイル７０２、および第２中間セグメント７１８によって接続された第３コイルセグメントと第４コイルセグメント７１６とを備えた第２コイル７１２、を有している。接続セグメント７１０は、第２コイルセグメント７０６と第３コイルセグメント７１４を接続する。エンクロージャ２１０は、第１と第２コイルセグメント間と、第３と第４コイルセグメント間に配設される。好ましくは、第１整合ネットワーク７１４は、第１コイルセグメント７０２とＲＦ電源２０８間に接続され、第２整合ネットワーク７１６は、第４コイルセグメント７０８と接地間に接続される。２セットのコイルセグメント間にエンクロージャ２１０を配設することによって、エンクロージャと交差するコイルの断面積は、（１セットのコイルセグメントの断面積に比べて）増加し、その結果、エンクロージャ２１０内のガスを励起してプラズマにするための増加活性領域がもたらされる。またコイル電圧は、より多くのコイルセグメント間で分割され、結果としてより低い最大電圧が各コイル間に与えられる。本発明は、エンクロージャ２１０内のガスを励起するための活性領域を更に増加するために追加のコイルセグメント対を直列に設けることを意図している。本発明は、エンクロージャ２１０内のガスを励起するための活性領域を更に増加するために並列構成で接続された複数のコイル（すなわち、コイルセグメント対）を設けることを意図している。
【００２７】
上記は本発明の好ましい実施の形態に向けられているが、本発明の他のそして更なる実施の形態は本発明の基本的範囲から逸脱することなく考案されることができる。本発明の範囲は、以下に続く特許請求の範囲によって決定される。
【図面の簡単な説明】
【００２８】
本発明の上記特徴、利点、および目的が達成される方法が詳細に分かるように、先に要約された本発明のより詳細な説明は、付帯図面に図解される実施の形態を参照して行なわれる。しかしながら、付帯図面は本発明の代表的な実施の形態を図解しただけであり、従がって、本発明の範囲を限定すると考えるものではない点に注意すべきである。なぜなら本発明は他の等しく効果的な実施の形態に対しても許容するからである。
【図１】図１は、代表的な遠隔誘導結合プラズマソースの簡略化した概略図である。
【図２】図２は、本発明によるプラズマソースの概略図である。
【図３】図３は、本発明によるプラズマソースの、コイル端子とコイルセンターでの模範的電圧を示すグラフである。
【図４】図４は、本発明によるプラズマソースを用いた処理チャンバの概略図である。
【図５】図５は、中央接地コイル構成を有する、本発明によるプラズマソースの概略図である。
【図６】図６は、自己共振型コイル構成を有する、本発明によるプラズマソースの概略図である。
【図７】図７は、直列コイル構成を有する、本発明によるプラズマソースの概略図である。
【図８】図８ａ‐８ｃは、コイルの断面形状の概略図である。
【符号の説明】
【００２９】
１０２：チューブ、１０４：コイル、１０６：ＲＦ電源、１０８：ＲＦ整合ネットワーク、１１０：プロセスガス入口、２００：プラズマソース、２０２：コイル、２０４：第１コイルセグメント、２０６：第２コイルセグメント、２０８：ＲＦ電源、２１０：エンクロージ、２１４：ＲＦ整合ネットワーク、２１６：ＲＦ整合ネットワーク、２１８：ガス入口、２２０：プラズマ出口、２２２：中間セグメント、２２４：第１コイル端子、２２６：第２コイル端子、２２８：コイルセンター、２５０：ファラデーシールド、４００：チャンバ、４１０：チャンバ本体、４１２：絶縁ドーム、セラミックドーム、４１４：誘導コイル、４１５：ガス入口、４１８：チャンバ蓋、４２０：静電チャック、４２２：絶縁リング、４２６：排気ポンプ、４３０：ポンプ、４３２：導管、５０２：ＲＦ整合ネットワーク、６００：プラズマソース、７００：プラズマソース、７０２：第１コイル、７０４：第１コイルセグメント、７０６：第２コイルセグメント、７０８：第１中間セグメント、７１０：接続セグメント、７１２：第2コイル、７１４：第３コイルセグメント、第１整合ネットワーク。
【図１】
2011071121.tif 000003
【図２】
2011071121.tif 000004
【図３】
2011071121.tif 000005
【図４】
2011071121.tif 000006
【図５】
2011071121.tif 000007
【図６】
2011071121.tif 000008
【図７】
2011071121.tif 000009
【図８】
2011071121.tif 000010